(57)【特許請求の範囲】
【請求項１】
光ディスクの記録領域を検出する記録領域検出回路において、
未記録領域検出用カウンタ及び記録領域検出用カウンタを有し、
前記未記録領域検出用カウンタは、基準クロックが入力され、第１の出力として未記録領域検出信号を出力し、第２の出力として前記記録領域検出用カウンタのリセット信号を出力し、前記第１の出力である未記録領域検出信号と前記第２の出力である記録領域検出用カウンタのリセット信号とが各々出力されるまでの時間関係は、前記第１の出力である未記録領域検出信号＞前記第２の出力である記録領域検出用カウンタのリセット信号の関係にあり、
前記記録領域検出用カウンタは、前記光ディスクからのＲＦ信号を２値化した２値化信号が入力され、その出力は、前記未記録領域検出用カウンタをリセットするリセット信号となると共に記録領域検出信号となる
ことを特徴とする記録領域検出回路。
【請求項２】
請求項１記載の記録領域検出回路において、
前記未記録領域検出用カウンタからの未記録領域検出信号、記録領域検出用カウンタのリセット信号、及び前記記録領域検出用カウンタからの記録領域検出信号が各々出力される時間関係は、
未記録領域検出信号 ＞ 記録領域検出用カウンタのリセット信号 ＞ 記録領域検出信号
の関係にあり、未記録領域検出信号の出力までの時間が最も長い
ことを特徴とする記録領域検出回路。
【請求項３】
光ディスクの記録領域を検出する記録領域検出回路において、
未記録領域検出用カウンタ、記録領域検出用カウンタ、及びスペース部検出用カウンタを有し、
前記未記録領域検出用カウンタは、基準クロックが入力され、出力が未記録領域検出信号となり、
前記記録領域検出用カウンタは、前記光ディスクからのＲＦ信号を２値化した２値化信号が入力され、その出力は、前記未記録領域検出用カウンタをリセットするリセット信号となると共に記録領域検出信号となり、
前記スペース部検出用カウンタは、前記基準クロックが入力されると共に、前記２値化信号が入力されて、前記２値化信号のマーク部でリセットされ、出力として前記記録領域検出用カウンタのリセット信号を出力する
ことを特徴とする記録領域検出回路。
【請求項４】
請求項３記載の記録領域検出回路において、
前記スペース部検出用カウンタにおいてリセット時から前記記録領域検出用カウンタのリセット信号が出力されるまでの時間と、前記２値化信号における最長スペース部の時間とは、
前記記録領域検出用カウンタのリセット信号が出力されるまでの時間 ＞ 最長スペース部の時間
の関係にある
ことを特徴とする記録領域検出回路。
【請求項５】
光ディスクの記録領域を検出する記録領域検出回路において、
未記録領域検出用カウンタ、記録領域検出用カウンタ、及びマーク部検出用カウンタを有し、
前記未記録領域検出用カウンタは、基準クロックが入力され、出力が未記録領域検出信号となり、
前記記録領域検出用カウンタは、前記光ディスクからのＲＦ信号を２値化した２値化信号が入力され、その出力は、前記未記録領域検出用カウンタをリセットするリセット信号となると共に記録領域検出信号となり、
前記マーク部検出用カウンタは、前記基準クロックが入力されると共に、前記２値化信号が入力されて、前記２値化信号のスペース部でリセットされ、出力として前記記録領域検出用カウンタのリセット信号を出力する
ことを特徴とする記録領域検出回路。
【請求項６】
請求項５記載の記録領域検出回路において、
前記マーク部検出用カウンタにおいてリセット時後から前記記録領域検出用カウンタのリセット信号が出力されるまでの時間と、前記２値化信号における最短マーク部の時間とは、
最短マーク部の時間 ＞前記記録領域検出用カウンタのリセット信号が出力されるまでの時間
の関係にある
ことを特徴とする記録領域検出回路。
【請求項７】
光ディスクの記録領域を検出する記録領域検出回路において、
未記録領域検出用カウンタ、記録領域検出用カウンタ、マーク部検出用カウンタを有し、
前記未記録領域検出用カウンタは、基準クロックが入力され、出力が未記録領域検出信号となると共に前記記録領域検出用カウンタのリセット信号となり、
前記記録領域検出用カウンタは、前記マーク部検出用カウンタの出力が入力され、その出力は、前記未記録領域検出用カウンタをリセットするリセット信号となると共に記録領域検出信号となり、
前記マーク部検出用カウンタは、前記基準クロックが入力されると共に、前記光ディスクからのＲＦ信号を２値化した２値化信号が入力されて、前記２値化信号のスペース部でリセットされる
ことを特徴とする記録領域検出回路。
【請求項８】
光ディスクの記録領域を検出する記録領域検出回路において、
未記録領域検出用カウンタ、記録領域検出用カウンタ、スペース部検出用カウンタを有し、
前記未記録領域検出用カウンタは、基準クロックが入力され、出力が未記録領域検出信号となると共に前記記録領域検出用カウンタのリセット信号となり、
前記記録領域検出用カウンタは、前記スペース部検出用カウンタの出力が入力され、出力は前記未記録領域検出用カウンタをリセットするリセット信号となると共に記録領域検出信号となり、
前記スペース部検出用カウンタは、前記基準クロックが入力されると共に、前記光ディスクからのＲＦ信号を２値化した２値化信号が入力されて、前記２値化信号のマーク部でリセットされる
ことを特徴とする記録領域検出回路。
【請求項９】
光ディスクの記録領域を検出する記録領域検出回路において、
未記録領域検出用カウンタ、記録領域検出用カウンタ、スペース部検出用カウンタ、及びマーク部検出用カウンタを有し、
前記未記録領域検出用カウンタは、基準クロックが入力され、出力が未記録領域検出信号となり、
前記記録領域検出用カウンタは、前記光ディスクからのＲＦ信号を２値化した２値化信号が入力され、その出力は前記未記録領域検出用カウンタをリセットするリセット信号となると共に記録領域検出信号となり、
前記スペース部検出用カウンタは、前記基準クロックが入力されると共に、前記２値化信号が入力されて、前記２値化信号のマーク部でリセットされ、出力として前記記録領域検出用カウンタのリセット信号を出力し、
前記マーク部検出用カウンタは、前記基準クロックが入力されると共に、前記２値化信号が入力されて、前記２値化信号のスペース部でリセットされ、出力として前記記録領域検出用カウンタのリセット信号を出力する
ことを特徴とする記録領域検出回路。
【請求項１０】
前記請求項３又は９記載の記録領域検出回路において、
前記スペース部検出用カウンタは、
前記２値化信号のマーク部を検出すると動作を停止し、前記２値化信号のスペース部を検出すると動作を再開する
ことを特徴とする記録領域検出回路。
【請求項１１】
前記請求項３又は９記載の記録領域検出回路において、
前記スペース部検出用カウンタは、
リセット後の時間計測を行い、この計測時間が前記２値化信号の最長スペース時間を超えているとき、前記記録領域検出用カウンタのリセット信号を出力する
ことを特徴とする記録領域検出回路。
【請求項１２】
前記請求項５又は９記載の記録領域検出回路において、
前記マーク部検出用カウンタは、
前記２値化信号のスペース部を検出すると動作を停止し、前記２値化信号のマーク部が検出されると動作を再開する
ことを特徴とする記録領域検出回路。
【請求項１３】
前記請求項５又は９記載の記録領域検出回路において、
前記マーク部検出用カウンタは、
リセット後から次のリセットまでの時間計測を行い、この計測時間が前記２値化信号の最短マーク時間未満のとき、前記記録領域検出用カウンタのリセット信号を出力する
ことを特徴とする記録領域検出回路。
【請求項１４】
光ディスクの記録領域を検出する記録領域検出回路において、
未記録領域検出用カウンタ、記録領域検出用カウンタ、スペース部検出用カウンタ、及びマーク部検出用カウンタ、並びにフリップフロップ回路を有し、
前記未記録領域検出用カウンタは、基準クロックが入力され、その出力が未記録領域検出信号となると共に前記記録領域検出用カウンタのリセット信号となり、
前記記録領域検出用カウンタは、前記フリップフロップ回路の出力が入力され、その出力が前記未記録領域検出用カウンタをリセットするリセット信号となると共に記録領域検出信号となり、
前記スペース部検出用カウンタは、前記基準クロックが入力されると共に、前記光ディスクからのＲＦ信号を２値化した２値化信号が入力されて、前記２値化信号のマーク部でリセットされ、その出力は前記フリップフロップ回路のリセット入力に入力され、
前記マーク部検出用カウンタは、前記基準クロックが入力されると共に、前記２値化信号が入力されて、前記２値化信号のスペース部でリセットされ、その出力は前記フリップフロップ回路のセット入力に与えられる
ことを特徴とする記録領域検出回路。
【請求項１５】
前記請求項７又は１４記載の記録領域検出回路において、
前記マーク部検出用カウンタは、
検出したマーク部の時間が、最短マーク時間以上で且つ最長マーク時間以下の場合に、パルスを出力する
ことを特徴とする記録領域検出回路。
【請求項１６】
前記請求項７又は１４記載の記録領域検出回路において、
前記マーク部検出用カウンタは、
リセット時から次のリセット時までの時間計測を行い、この計測時間を最短マーク時間及び最長マーク時間と比較し、前記計測時間が最短マーク時間以上で且つ最長マーク時間以下の場合に、パルスを出力する
ことを特徴とする記録領域検出回路。
【請求項１７】
前記請求項８又は１４記載の記録領域検出回路において、
前記スペース部検出用カウンタは、
検出したスペース部の時間が、最短スペース時間以上で且つ最長スペース時間以下の場合に、パルスを出力する
ことを特徴とする記録領域検出回路。
【請求項１８】
前記請求項８又は１４記載の記録領域検出回路において、
前記スペース部検出用カウンタは、
リセット時から次のリセット時までの時間計測を行い、この計測時間を最短スペース時間及び最長スペース時間と比較し、前記計測時間が最短スペース時間以上で且つ最長スペース時間以下の場合に、パルスを出力する
ことを特徴とする記録領域検出回路。
【請求項１９】
前記請求項３、５、７、８、９及び１４の何れか１項に記載の記録領域検出回路において、
前記未記録領域検出用カウンタからの未記録領域検出信号と、前記記録領域検出用カウンタからの記録領域検出信号とが各々出力されるまでの時間関係は、
未記録領域検出信号 ＞  記録領域検出信号
の関係にある
ことを特徴とする記録領域検出回路。
【発明の詳細な説明】
【技術分野】
【０００１】
本発明は、光ディスクの信号記録済み領域を精度良く検出する記録領域検出回路に関する。
【背景技術】
【０００２】
従来、光ディスクの記録領域検出回路は、例えば、特許文献１に記載されるように、光ピックアップより得られた電気信号を２値化し、この２値化信号が所定時間供給されなくなるまでを記録領域として検出している。
【０００３】
図１５は、このような従来の光ディスクの記録領域検出回路を示す。図１５において、８０は未記録領域検出用カウンタ、８１は記録領域検出用カウンタ、８２は出力信号保持用のフリップフロップ回路である。
【０００４】
前記光ディスクの記録領域検出回路は、ＲＦ信号を２値化した２値化信号ＲＦが記録領域検出用カウンタ８１へ入力され、その出力信号Ｓ８１が未記録領域検出用カウンタ８０のリセット端子とフリップフロップ回路８２のセット端子に接続されている。未記録領域検出用カウンタ８０には基準クロックＣＬＫが入力され、その出力信号Ｓ８０が記録領域検出用カウンタ８１のリセット端子とフリップフロップ回路８２のクロック端子に接続されている。ここで、未記録領域検出用カウンタ８０の出力信号Ｓ８０は、記録領域中での記録領域検出用カウンタ８１からの出力信号Ｓ８１の出力時間間隔に比べて、十分長い時間が経過しないと出力されないように設定されている。フリップフロップ回路８２は、そのＤ端子がＧＮＤに接続され、信号ＲＥＣＤを出力する。
【０００５】
前記のように構成された記録領域検出回路について、以下、その動作を図１５の全体構成及び図１６の通常時のタイミング図に基づいて説明する。
【０００６】
先ず、図１５において、ＲＦ信号の２値化信号ＲＦが記録領域検出用カウンタ８１に入力される。光ディスクの記録領域中では、一定のマーク部（Ｌレベル部）の数をカウントする毎に未記録領域検出用カウンタ８０へ信号Ｓ８１を出力し、リセットをかけに行くと同時に、フリップフロップ回路８２の出力である記録領域信号ＲＥＣＤを“Ｈ”レベルにして、記録領域であることを検出する。未記録領域中では、記録領域検出用カウンタ８１はＲＦ信号の２値化信号ＲＦが入力されてこないために、停止状態になる。すると、未記録領域検出用カウンタ８０は記録領域検出用カウンタ８１によりリセットされないため、基準クロックＣＬＫによりカウントを続ける。一定時間カウントすると、未記録領域検出用カウンタ８０から信号Ｓ８０が出力され、フリップフロップ回路８２の出力信号ＲＥＣＤを“Ｌ”レベルにして、未記録領域であることを検出すると同時に、記録領域検出用カウンタ８１をリセットする。
【特許文献１】特開平５−２６６５７８号公報（第７頁及び図１）
【発明の開示】
【発明が解決しようとする課題】
【０００７】
しかしながら、前記従来の記録領域検出回路の構成では、図１７に示すように、ＲＦ信号の２値化信号のスペース部（Ｈレベル部）でノイズがのってしまった場合には、記録領域検出用カウンタ８１から出力信号Ｓ８１が誤って出て、未記録領域検出用カウンタ８０をリセットするために、未記録領域検出用カウンタ８０からは出力信号Ｓ８０が出ず、その結果、フリップフロップ回路８２の出力信号ＲＥＣＤが“Ｈ”レベルに維持されて、記録領域であることを検出し続け、本来では未記録領域として検出されなければならない部分でも記録領域として誤検出してしまうことがあり、正確な記録領域の検出ができなくなってしまう。
【０００８】
本発明は、前記従来の問題点を解決するものであり、その目的は、ＲＦ信号の２値化信号にノイズがのった場合においても、精度良く光ディスクの信号記録済み領域を検出できる記録領域検出回路を提供することにある。
【課題を解決するための手段】
【０００９】
前記の目的を達成するために、本発明では、ＲＦ信号の２値化信号にノイズがのった場合に、記録領域検出用カウンタが誤って信号出力する頻度を低減するように、その記録領域検出用カウンタを頻繁にリセットしたり、ノイズの混入を検出してその検出時に記録領域検出用カウンタを強制的にリセットする構成を採用する。
【００１０】
すなわち、請求項１記載の発明の記録領域検出回路は、光ディスクの記録領域を検出する記録領域検出回路において、未記録領域検出用カウンタ及び記録領域検出用カウンタを有し、前記未記録領域検出用カウンタは、基準クロックが入力され、第１の出力として未記録領域検出信号を出力し、第２の出力として前記記録領域検出用カウンタのリセット信号を出力し、前記第１の出力である未記録領域検出信号と前記第２の出力である記録領域検出用カウンタのリセット信号とが各々出力されるまでの時間関係は、前記第１の出力である未記録領域検出信号＞前記第２の出力である記録領域検出用カウンタのリセット信号の関係にあり、前記記録領域検出用カウンタは、前記光ディスクからのＲＦ信号を２値化した２値化信号が入力され、その出力は、前記未記録領域検出用カウンタをリセットするリセット信号となると共に記録領域検出信号となることを特徴とする。
【００１１】
請求項２記載の発明は、前記請求項１記載の記録領域検出回路において、前記未記録領域検出用カウンタからの未記録領域検出信号、記録領域検出用カウンタのリセット信号、及び前記記録領域検出用カウンタからの記録領域検出信号が各々出力される時間関係は、未記録領域検出信号 ＞ 記録領域検出用カウンタのリセット信号 ＞ 記録領域検出信号の関係にあり、未記録領域検出信号の出力までの時間が最も長いことを特徴とする。
【００１２】
請求項３記載の発明は、光ディスクの記録領域を検出する記録領域検出回路において、未記録領域検出用カウンタ、記録領域検出用カウンタ、及びスペース部検出用カウンタを有し、前記未記録領域検出用カウンタは、基準クロックが入力され、出力が未記録領域検出信号となり、前記記録領域検出用カウンタは、前記光ディスクからのＲＦ信号を２値化した２値化信号が入力され、その出力は、前記未記録領域検出用カウンタをリセットするリセット信号となると共に記録領域検出信号となり、前記スペース部検出用カウンタは、前記基準クロックが入力されると共に、前記２値化信号が入力されて、前記２値化信号のマーク部でリセットされ、出力として前記記録領域検出用カウンタのリセット信号を出力することを特徴とする。
【００１３】
請求項４記載の発明は、前記請求項３記載の記録領域検出回路において、前記スペース部検出用カウンタにおいてリセット時から前記記録領域検出用カウンタのリセット信号が出力されるまでの時間と、前記２値化信号における最長スペース部の時間とは、前記記録領域検出用カウンタのリセット信号が出力されるまでの時間 ＞ 最長スペース部の時間の関係にあることを特徴とする。
【００１４】
請求項５記載の発明は、光ディスクの記録領域を検出する記録領域検出回路において、未記録領域検出用カウンタ、記録領域検出用カウンタ、及びマーク部検出用カウンタを有し、前記未記録領域検出用カウンタは、基準クロックが入力され、出力が未記録領域検出信号となり、前記記録領域検出用カウンタは、前記光ディスクからのＲＦ信号を２値化した２値化信号が入力され、その出力は、前記未記録領域検出用カウンタをリセットするリセット信号となると共に記録領域検出信号となり、前記マーク部検出用カウンタは、前記基準クロックが入力されると共に、前記２値化信号が入力されて、前記２値化信号のスペース部でリセットされ、出力として前記記録領域検出用カウンタのリセット信号を出力することを特徴とする。
【００１５】
請求項６記載の発明は、前記請求項５記載の記録領域検出回路において、前記マーク部検出用カウンタにおいてリセット時後から前記記録領域検出用カウンタのリセット信号が出力されるまでの時間と、前記２値化信号における最短マーク部の時間とは、最短マーク部の時間 ＞前記記録領域検出用カウンタのリセット信号が出力されるまでの時間の関係にあることを特徴とする。
【００１６】
請求項７記載の発明は、光ディスクの記録領域を検出する記録領域検出回路において、未記録領域検出用カウンタ、記録領域検出用カウンタ、マーク部検出用カウンタを有し、前記未記録領域検出用カウンタは、基準クロックが入力され、出力が未記録領域検出信号となると共に前記記録領域検出用カウンタのリセット信号となり、前記記録領域検出用カウンタは、前記マーク部検出用カウンタの出力が入力され、その出力は、前記未記録領域検出用カウンタをリセットするリセット信号となると共に記録領域検出信号となり、前記マーク部検出用カウンタは、前記基準クロックが入力されると共に、前記光ディスクからのＲＦ信号を２値化した２値化信号が入力されて、前記２値化信号のスペース部でリセットされることを特徴とする。
【００１７】
請求項８記載の発明は、光ディスクの記録領域を検出する記録領域検出回路において、未記録領域検出用カウンタ、記録領域検出用カウンタ、スペース部検出用カウンタを有し、前記未記録領域検出用カウンタは、基準クロックが入力され、出力が未記録領域検出信号となると共に前記記録領域検出用カウンタのリセット信号となり、前記記録領域検出用カウンタは、前記スペース部検出用カウンタの出力が入力され、出力は前記未記録領域検出用カウンタをリセットするリセット信号となると共に記録領域検出信号となり、前記スペース部検出用カウンタは、前記基準クロックが入力されると共に、前記光ディスクからのＲＦ信号を２値化した２値化信号が入力されて、前記２値化信号のマーク部でリセットされることを特徴とする。
【００１８】
請求項９記載の発明は、光ディスクの記録領域を検出する記録領域検出回路において、未記録領域検出用カウンタ、記録領域検出用カウンタ、スペース部検出用カウンタ、及びマーク部検出用カウンタを有し、前記未記録領域検出用カウンタは、基準クロックが入力され、出力が未記録領域検出信号となり、前記記録領域検出用カウンタは、前記光ディスクからのＲＦ信号を２値化した２値化信号が入力され、その出力は前記未記録領域検出用カウンタをリセットするリセット信号となると共に記録領域検出信号となり、前記スペース部検出用カウンタは、前記基準クロックが入力されると共に、前記２値化信号が入力されて、前記２値化信号のマーク部でリセットされ、出力として前記記録領域検出用カウンタのリセット信号を出力し、前記マーク部検出用カウンタは、前記基準クロックが入力されると共に、前記２値化信号が入力されて、前記２値化信号のスペース部でリセットされ、出力として前記記録領域検出用カウンタのリセット信号を出力することを特徴とする。
【００１９】
請求項１０記載の発明は、前記請求項３又は９記載の記録領域検出回路において、前記スペース部検出用カウンタは、前記２値化信号のマーク部を検出すると動作を停止し、前記２値化信号のスペース部を検出する動作を再開することを特徴とする。
【００２０】
請求項１１記載の発明は、前記前記請求項３又は９記載の記録領域検出回路において、前記スペース部検出用カウンタは、リセット後の時間計測を行い、この計測時間が前記２値化信号の最長スペース時間を超えているとき、前記記録領域検出用カウンタのリセット信号を出力することを特徴とする。
【００２１】
請求項１２記載の発明は、前記請求項５又は９記載の記録領域検出回路において、前記マーク部検出用カウンタは、前記２値化信号のスペース部を検出すると動作を停止し、前記２値化信号のマーク部が検出されると動作を再開することを特徴とする。
【００２２】
請求項１３記載の発明は、前記請求項５又は９記載の記録領域検出回路において、前記マーク部検出用カウンタは、リセット後から次のリセットまでの時間計測を行い、この計測時間が前記２値化信号の最短マーク時間未満のとき、前記記録領域検出用カウンタのリセット信号を出力することを特徴とする。
【００２３】
請求項１４記載の発明は、光ディスクの記録領域を検出する記録領域検出回路において、未記録領域検出用カウンタ、記録領域検出用カウンタ、スペース部検出用カウンタ、及びマーク部検出用カウンタ、並びにフリップフロップ回路を有し、前記未記録領域検出用カウンタは、基準クロックが入力され、その出力が未記録領域検出信号となると共に前記記録領域検出用カウンタのリセット信号となり、前記記録領域検出用カウンタは、前記フリップフロップ回路の出力が入力され、その出力が前記未記録領域検出用カウンタをリセットするリセット信号となると共に記録領域検出信号となり、前記スペース部検出用カウンタは、前記基準クロックが入力されると共に、前記光ディスクからのＲＦ信号を２値化した２値化信号が入力されて、前記２値化信号のマーク部でリセットされ、その出力は前記フリップフロップ回路のリセット入力に入力され、前記マーク部検出用カウンタは、前記基準クロックが入力されると共に、前記２値化信号が入力されて、前記２値化信号のスペース部でリセットされ、その出力は前記フリップフロップ回路のセット入力に与えられることを特徴とする。
【００２４】
請求項１５記載の発明は、前記請求項７又は１４記載の記録領域検出回路において、前記マーク部検出用カウンタは、検出したマーク部の時間が、最短マーク時間以上で且つ最長マーク時間以下の場合に、パルスを出力することを特徴とする。
【００２５】
請求項１６記載の発明は、前記請求項７又は１４記載の記録領域検出回路において、前記マーク部検出用カウンタは、リセット時から次のリセット時までの時間計測を行い、この計測時間を最短マーク時間及び最長マーク時間と比較し、前記計測時間が最短マーク時間以上で且つ最長マーク時間以下の場合に、パルスを出力することを特徴とする。
【００２６】
請求項１７記載の発明は、前記請求項８又は１４記載の記録領域検出回路において、前記スペース部検出用カウンタは、検出したスペース部の時間が、最短スペース時間以上で且つ最長スペース時間以下の場合に、パルスを出力することを特徴とする。
【００２７】
請求項１８記載の発明は、前記請求項８又は１４記載の記録領域検出回路において、前記スペース部検出用カウンタは、リセット時から次のリセット時までの時間計測を行い、この計測時間を最短スペース時間及び最長スペース時間と比較し、前記計測時間が最短スペース時間以上で且つ最長スペース時間以下の場合に、パルスを出力することを特徴とする。
【００２８】
請求項１９記載の発明は、前記請求項３、５、７、８、９又は１４記載の記録領域検出回路において、前記未記録領域検出用カウンタからの未記録領域検出信号と、前記記録領域検出用カウンタからの記録領域検出信号とが各々出力されるまでの時間関係は、未記録領域検出信号 ＞  記録領域検出信号の関係にあることを特徴とする。
【００２９】
以上により、請求項１及び２記載の発明では、未記録領域検出用カウンタは、未記録領域検出信号と、記録領域検出用カウンタのリセット信号との２種の信号を出力し、この２種の信号のうち、未記録領域検出信号の出力周期よりも 記録領域検出用カウンタのリセット信号の出力周期の方を短くする構成とすれば、未記録領域検出信号の出力の前段階で記録領域検出用カウンタを頻繁にリセットすることができるので、ＲＦ信号の２値化信号にノイズがのっても、記録領域検出用カウンタが誤った出力信号を出す確率が低くなり、その結果、未記録領域検出用カウンタが誤ってリセットされて記録領域と誤検出される確率も低減されて、高精度な記録領域検出となる。
【００３０】
また、請求項３〜１９記載の発明では、ＲＦ信号の２値化信号のスペース部やマーク部にノイズがのっても、スペース部検出用カウンタやマーク部検出用カウンタがそのノイズを検出して、記録領域検出用カウンタをリセットするので、記録領域検出用カウンタが誤った出力信号を出す確率が低くなり、その結果、未記録領域検出用カウンタが誤ってリセットされて記録領域と誤検出される確率も低減されて、高精度な記録領域の検出となる。
【発明の効果】
【００３１】
以上説明したように、請求項１〜１９記載の発明の記録領域検出回路によれば、光ディスクからのＲＦ信号の２値化信号にノイズがのっても、光ディスクの未記録領域を誤って記録領域と検出する誤認識の確率を低減できるので、精度良い記録領域の検出が可能となる。
【発明を実施するための最良の形態】
【００３２】
以下、本発明の実施形態について図面を参照しながら説明する。
【００３３】
（第１の実施形態）
図１は本発明の第１の実施形態における光ディスクの記録領域検出回路の構成を示す。
【００３４】
同図において、１０は基準クロックＣＬＫが入力されている未記録領域検出用カウンタ、８１は記録領域検出用カウンタ、８２はフリップフロップ回路である。前記未記録領域検出用カウンタ１０は、第１の出力信号として、未記録領域検出信号Ｓ１０を出力すると共に、第２の出力信号として、前記記録領域検出用カウンタ８１をリセットするリセット信号Ｓ１１を出力する。ここで、光ディスクの未記録領域では、前記未記録領域検出信号Ｓ１０は、前記リセット信号Ｓ１１に比べて、十分に長い時間が経過しないと出力されないように設定される。
【００３５】
前記記録領域検出用カウンタ８１は、入力として、光ディスクからのＲＦ信号を２値化した２値化信号ＲＦが入力され、リセット端子には前記未記録領域検出用カウンタ１０からのリセット信号Ｓ１１が入力され、その出力は、リセット信号として前記未記録領域検出用カウンタ１０のリセット端子に入力されると共に、記録領域検出信号Ｓ１２として前記フリップフロップ回路８２のセット端子Ｓに入力される。前記フリップフロップ回路８２は、Ｄ端子がＧＮＤに接続され、クロック端子には、前記未記録領域検出用カウンタ１０からの未記録領域検出信号Ｓ１０が入力される。
【００３６】
以上のように構成された本実施形態の光ディスクの記録領域検出回路について、以下、その動作を図１、及び図２のタイミング図に基づいて説明する。
【００３７】
最初に、ＲＦ信号の２値化信号ＲＦが記録領域検出用カウンタ８１に入力される。この記録領域検出用カウンタ８１は、光ディスクの記録領域中では、所定のマーク部（Ｌレベル部）の数をカウントする毎に未記録領域検出用カウンタ１０へリセット信号を出力すると同時に、フリップフロップ回路８２のセット端子Ｓに記録領域検出信号Ｓ１２を出力して、その記録領域信号ＲＥＣＤを“Ｈ”にする。
【００３８】
一方、光ディスクの未記録領域中では、記録領域検出用カウンタ８１はＲＦ信号の２値化信号ＲＦのマーク部が入力されてこないので、停止状態になる。すると、未記録領域検出用カウンタ１０は記録領域検出用カウンタ８１によりリセットされず、基準クロックＣＬＫによりカウントを続ける。一定時間カウントすると、リセット信号Ｓ１１を出力して、記録領域検出用カウンタ８１をリセットする。更に、ＲＦ信号の２値化信号ＲＦのマーク部が入力されない状態が続くと、今度は未記録領域検出信号Ｓ１０が出力されて、フリップフロップ回路８２からの記録領域信号ＲＥＣＤが“Ｌ”となる。尚、記録領域中では、未記録領域検出用カウンタ１０からのリセット信号Ｓ１１は、記録領域検出用カウンタ８１からの記録領域検出信号Ｓ１２よりも十分長い時間が経過しないと出力されないように設定されているので、記録領域中でリセット信号Ｓ１１が出力されることはない。
【００３９】
以上のように、本実施形態によれば、未記録領域検出信号Ｓ１０の出力間隔に比べて短い周期で記録領域検出用カウンタ８１をリセットするので、ＲＦ信号の２値化信号ＲＦにノイズがのっている場合においても、記録領域検出用カウンタ８１がノイズにより誤った動作をする確率を減らすことができる。従って、従来より高精度に記録領域検出が可能となる。
【００４０】
（第２の実施形態）
図３は本発明の第２の実施形態における光ディスクの記録領域検出回路の構成を示す。
【００４１】
同図では、新たにスペース部検出用カウンタ２０が追加される。このスペース部検出用カウンタ２０は、入力端子に基準クロックＣＬＫが入力され、リセット端子にＲＦ信号の２値化信号ＲＦの反転信号が入力されて、その２値化信号のマーク部（Ｌレベル部）でリセットされる。また、前記スペース部検出用カウンタ２０の出力は、リセット信号Ｓ２１として、記録領域検出用カウンタ８１のリセット端子に接続されている。未記録領域検出用カウンタ８０は、その出力として、フリップフロップ回路８２のクロック端子に入力される未記録領域検出信号Ｓ２０のみが出力される。未記録領域検出用カウンタ８０からの未記録領域検出信号Ｓ２０は、記録領域中での記録領域検出用カウンタ８１からの記録領域検出信号Ｓ１２の出力時間間隔に比べて、十分長い時間が経過しないと出力されないように設定されている。その他の構成は、図１と同様であるので、同一部分に同一符号を付して、その説明を省略する。
【００４２】
以上のように構成された本実施形態の光ディスクの記録領域検出回路について、以下、その動作を図３、及び図４のタイミング図に基づいて説明する。
【００４３】
最初、ＲＦ信号の２値化信号ＲＦが記録領域検出用カウンタ８１に入力される。記録領域検出用カウンタ８１は、光ディスクの記録領域中では、所定のマーク部の数をカウントする毎に、未記録領域検出用カウンタ８０へリセット信号Ｓ１２を出力して、リセットをかけに行くと同時に、フリップフロップ回路８２からの記録領域信号ＲＥＣＤを“Ｈ”にする。このとき、スペース部検出用カウンタ２０は、２値化信号のマーク部（Ｌレベル部）においてリセットがかかり、スペース部に移行するとカウントを開始するという動作を行っているが、記録領域中では、設定値以上をカウントすることはなく、リセット信号Ｓ２１は出力されることはない。
【００４４】
これに対し、光ディスクの未記録領域中では、スペース部検出用カウンタ２０が設定値以上をカウントして、２値化信号から最大スペース長以上のスペース部を検出し、信号の未記録領域と認識して、記録領域検出用カウンタ８１へリセット信号Ｓ２１を出力し、記録領域検出用カウンタ８１はカウント動作を停止する。この未記録領域中では、ＲＦ信号の２値化信号ＲＦはスペース部（Ｈレベル部）のみでマーク部（Ｌレベル部）がないので、記録領域検出用カウンタ８１は停止状態になる。すると、未記録領域検出用カウンタ８０は記録領域検出用カウンタ８１によりリセットされず、基準クロックＣＬＫによりカウントを続ける。所定時間カウントすると、未記録領域検出用カウンタ８０から未記録領域検出信号Ｓ２０が出力され、フリップフロップ回路８２からの記録領域信号ＲＥＣＤが“Ｌ”になる。
【００４５】
ここで、未記録領域中にノイズがのった場合においても、その後、最大スペース長以上のスペース部が来る可能性が高く、スペース部検出用カウンタ２０からリセット信号Ｓ２１が出力される確率が高いので、記録領域検出用カウンタ８１がノイズに起因する誤ったマーク部の数をカウントしても、その記録領域検出用カウンタ８１をリセットすることが可能となる。よって、誤って未記録領域検出用カウンタ８０をリセットすることがなくなるので、従来より高精度に記録領域の検出が可能である。
【００４６】
（第３の実施形態）
図５は本発明の第３の実施形態における光ディスクの記録領域検出回路の構成を示す。
【００４７】
同図は、図３に示したスペース部検出用カウンタ２０に代えて、マーク部検出用カウンタ３０を配置した記録領域検出回路である。前記マーク部検出用カウンタ３０は、入力端子に基準クロックＣＬＫが入力され、リセット端子にＲＦ信号の２値化信号ＲＦが入力されて、その２値化信号のスペース部（Ｈレベル部）でリセットされ、その２値化信号がマーク部に移行するとカウントを開始という動作を行い、マーク部検出用カウンタ３０が設定値以下のカウントでリセットがかけられた場合、即ち、最小マーク長以下のマーク部を検出した場合には、スペース部（信号の未記録領域）でノイズがのったと認識して、記録領域検出用カウンタ８１へリセット信号Ｓ３１を出力する。このリセット信号Ｓ３１は、記録領域検出用カウンタ８１のリセット端子に入力される。未記録領域検出用カウンタ８０からの未記録領域検出信号Ｓ２０の出力時間間隔は、光ディスクの記録領域中での記録領域検出用カウンタ８１からのリセット信号Ｓ１２の出力時間間隔に比べて、十分長い時間が経過しないと出力されないように設定されている。その他の構成は、図３と同様であるので、同一部分に同一符号を付して、その説明を省略する。
【００４８】
以上のように構成された本実施形態の光ディスクの記録領域検出回路について、以下、その動作を図５、及び図６のタイミング図に基づいて説明する。
【００４９】
最初に、ＲＦ信号の２値化信号ＲＦが記録領域検出用カウンタ８１に入力される。光ディスクの記録領域中では、所定のマーク部の数をカウントする毎に未記録領域検出用カウンタ８０へリセット信号Ｓ１２を出力し、リセットをかけに行くと同時に、フリップフロップ回路８２の出力である記録領域信号ＲＥＣＤを“Ｈ”にする。この際、マーク部検出用カウンタ３０は、スペース部においてリセットがかかり、マーク部に移行するとカウントを開始という動作を行っている。
【００５０】
ここで、２値化信号のスペース部においてノイズがのった場合には、マーク部検出用カウンタ３０が設定値以下のカウントでリセットがかけられて、最小マーク長以下のマーク部を検出し、信号の未記録領域でノイズがのったと認識し、記録領域検出用カウンタ８１へリセット信号Ｓ３１を出力する。この未記録領域中では、記録領域検出用カウンタ８１はＲＦ信号の２値化信号ＲＦのマーク部が入力されず、停止状態になる。すると、未記録領域検出用カウンタ８０は記録領域検出用カウンタ８１によりリセットされず、基準クロックＣＬＫによりカウントを続ける。一定時間カウントすると、未記録領域検出信号Ｓ２０を出力し、フリップフロップ回路８２からの記録領域信号ＲＥＣＤは“Ｌ”となり、未記録領域を表示する。
【００５１】
以上のように、本実施形態によれば、光ディスクの未記録領域中にノイズがのった場合においても、その時間は最小マーク長以下の可能性が高いので、マーク部検出用カウンタ３０により記録領域検出用カウンタ８１をリセットすることが可能となる。従って、誤って未記録領域検出用カウンタ８０をリセットすることがなく、従来よりも高精度に記録領域の検出が可能である。
【００５２】
（第４の実施形態）
図７は本発明の第４の実施形態における光ディスクの記録領域検出回路の構成を示す。
【００５３】
同図では、図５に示したマーク部検出用カウンタ３０とは内部構成の異なるマーク部検出用カウンタ４０を備える。このマーク部検出用カウンタ４０は、入力端子に基準クロックＣＬＫが入力され、リセット端子にＲＦ信号の２値化信号ＲＦが入力されて、この２値化信号ＲＦに記録されているマーク部の長さを基準クロックＣＬＫにより時間計測して測定し、この測定したマーク長を最小マーク長及び最大マーク長と比較して、この測定マーク長が最小マーク長と最大マーク長との間に収まっている場合にのみ、正常にマーク部を読めたとして、出力信号（パルス）Ｓ４１を出力する。この出力信号Ｓ４１は、記録領域検出用として、記録領域検出用カウンタ８１に入力される。未記録領域検出用カウンタ８０からの未記録検出領域信号Ｓ２０は、リセット信号として、前記記録領域検出用カウンタ８１のリセット端子Ｒに入力される。未記録領域検出用カウンタ８０からの未記録領域検出信号Ｓ２０の出力時間間隔は、光ディスクの記録領域中での記録領域検出用カウンタ８１からのリセット信号Ｓ１２の出力時間間隔に比べて、十分長い時間が経過しないと出力されないように設定されている。その他の構成は、図５と同様であるので、同一部分に同一符号を付して、その説明を省略する。
【００５４】
以上のように構成された本実施形態の光ディスクの記録領域検出回路について、以下、その動作を図７及び、図８のタイミング図に基づいて説明する。
【００５５】
最初に、ＲＦ信号の２値化信号ＲＦがマーク部検出用カウンタ４０に入力される。マーク部検出用カウンタ４０は、前記２値化信号ＲＦ中に記録されている各マーク部の長さを基準クロックＣＬＫにより測定し、入力されたマーク長が最小マーク長と最大マーク長の間に収まっている場合にのみ、正常にマーク部を読めたものとして、出力パルスＳ４１を出力することを繰り返す。この各出力パルスＳ４１は、記録領域検出用カウンタ８１に入力される。前記記録領域検出用カウンタ８１は、前記マーク部検出用カウンタ４０からの出力パルスＳ４１をカウントし、所定数をカウントする毎に未記録領域検出用カウンタ８０へリセット信号Ｓ１２を出力し、リセットをかけに行くと同時に、フリップフロップ回路８２からの記録領域信号ＲＥＣＤを“Ｈ”にする。
【００５６】
光ディスクの未記録領域中では、マーク部検出用カウンタ４０の出力パルスＳ４１は出力されないので、記録領域検出用カウンタ８１は停止状態になる。すると、未記録領域検出用カウンタ８０は、記録領域検出用カウンタ８１によりリセットされないので、基準クロックＣＬＫによりカウントを続ける。一定時間カウントすると、未記録領域検出信号Ｓ２０が出力され、フリップフロップ回路８２からの記録領域信号ＲＥＣＤが“Ｌ”となると同時に、記録領域検出用カウンタ８１がリセットされる。
【００５７】
また、光ディスクの未記録領域中にノイズがのった場合においても、その時間は最小マーク長以下の可能性が高いので、マーク部検出用カウンタ４０によりノイズと判定され、記録領域検出用カウンタ８１へ出力パルスＳ４１を出力しない。従って、記録領域検出用カウンタ８１はノイズを誤ってマーク部としてカウントすることがなく、よって、未記録領域検出用カウンタ８０を誤ってリセットすることがなくなるので、従来より高精度に記録領域の検出が可能である。
【００５８】
（第５の実施形態）
図９は本発明の第５の実施形態における光ディスクの記録領域検出回路の構成を示す。
【００５９】
同図では、図３に示したスペース部検出用カウンタ２０とは内部構成の異なるスペース部検出用カウンタ５０を備える。このスペース部検出用カウンタ５０は、入力端子に基準クロックＣＬＫが入力され、リセット端子にＲＦ信号の２値化信号ＲＦの反転信号が入力されて、この２値化信号ＲＦに記録されているスペース部の長さを基準クロックＣＬＫにより時間計測して測定し、この測定したスペース長を最小スペース長及び最大スペース長と比較して、この測定スペース長が前記最小スペース長と最大スペース長との間に収まっている場合にのみ、正常にスペース部を読めたものとして、出力信号（パルス）Ｓ５１を出力する。この出力信号Ｓ５１は、記録領域検出用として、記録領域検出用カウンタ８１に入力される。未記録領域検出用カウンタ８０からの未記録検出領域信号Ｓ２０は、リセット信号として、前記記録領域検出用カウンタ８１のリセット端子Ｒに入力される。未記録領域検出用カウンタ８０からのリセット信号Ｓ２０の出力時間間隔は、光ディスクの記録領域中での記録領域検出用カウンタ８１からのリセット信号Ｓ１２の出力時間間隔に比べて、十分長い時間が経過しないと出力されないように設定されている。その他の構成は、図７と同様であるので、同一部分に同一符号を付して、その説明を省略する。
【００６０】
以上のように構成された本実施形態の光ディスクの記録領域検出回路について、以下、その動作を図９、及び図１０のタイミング図に基づいて説明する。
【００６１】
最初に、ＲＦ信号の２値化信号ＲＦがスペース部検出用カウンタ５０に入力される。スペース部検出用カウンタ５０は、ＲＦ信号の２値化信号に記録されているスペース部の長さを基準クロックＣＬＫにより測定し、入力された各スペース長が最小スペース長と最大スペース長の間に収まっている場合にのみ、正常にスペース部を読めたものとして、出力パルスＳ５１を出力することを繰り返す。記録領域検出用カウンタ８１は、前記スペース部検出用カウンタ５０からの各出力パルスＳ５１をカウントし、所定数をカウントする毎に未記録領域検出用カウンタ８０へリセット信号Ｓ１２を出力し、リセットをかけに行くと同時に、フリップフロップ回路８２からの記録領域信号ＲＥＣＤを“Ｈ”にする。
【００６２】
光ディスクの未記録領域中では、スペース部検出用カウンタ５０は出力パルスＳ５１を出力しないので、記録領域検出用カウンタ８１は停止状態になる。すると、未記録領域検出用カウンタ８０は記録領域検出用カウンタ８１によりリセットされないので、基準クロックＣＬＫによりカウントを続ける。一定時間カウントすると、未記録領域検出信号Ｓ２０が出力されて、フリップフロップ回路８２からの記録領域信号ＲＥＣＤが“Ｌ”になると同時に、記録領域検出用カウンタ８１がリセットされる。
【００６３】
また、光ディスクの未記録領域中にノイズがのった場合においても、ノイズ間の時間は最大スペース長以上の可能性が高いので、スペース部検出用カウンタ５０によりノイズと判定されて、出力パルスＳ５１を発生しない。従って、記録領域検出用カウンタ８１は、ノイズを誤ってマーク部としてカウントすることがなく、よって、未記録領域検出用カウンタ８０を誤ってリセットすることがなくなるので、従来より高精度に記録領域の検出が可能である。
【００６４】
（第６の実施形態）
図１１は本発明の第６の実施形態における光ディスクの記録領域検出回路の構成を示す。
【００６５】
同図では、前記第２の実施形態を示す図３のスペース部検出用カウンタ２０と、前記第３の実施形態を示す図５のマーク部検出用カウンタ３０との両カウンタを備えた構成である。前記両カウンタ２０、３０からのリセット信号Ｓ２１、Ｓ３１はＯＲ回路６０を経て記録領域検出用カウンタ８１のリセット端子に入力される。未記録領域検出用カウンタ８０からの未記録領域検出信号Ｓ２０の出力時間間隔は、光ディスクの記録領域中での記録領域検出用カウンタ８１からのリセット信号Ｓ１２の出力時間間隔に比べて、十分長い時間が経過しないと出力されないように設定されている。その他の構成は、図３及び図５と同様であるので、同一部分に同一符号を付して、その説明を省略する。
【００６６】
以上のように構成された本実施形態の光ディスクの記録領域検出回路について、以下、その動作を図１１、及び図１２のタイミング図に基づいて説明する。
【００６７】
最初に、ＲＦ信号の２値化信号ＲＦが記録領域検出用カウンタ８１に入力される。記録領域検出用カウンタ８１は、光ディスクの記録領域中では、所定のマーク部数をカウントする毎に未記録領域検出用カウンタ８０へリセット信号Ｓ１２を出力し、リセットをかけに行くと同時に、フリップフロップ回路８２からの記録領域信号ＲＥＣＤを“Ｈ”にする。このとき、スペース部検出用カウンタ２０は２値化信号ＲＦのマーク部においてリセットがかかり、スペース部に移行すると、カウントを開始という動作を行っている。また、マーク部検出用カウンタ３０は、２値化信号ＲＦのスペース部においてリセットがかかり、マーク部に移行すると、カウントを開始という動作を行っている。
【００６８】
光ディスクの未記録領域では、スペース部検出用カウンタ２０が設定値以上をカウントし、最大スペース長以上のスペース部を検出して、信号の未記録領域であると認識し、ＯＲ回路６０へリセット信号Ｓ２１を出力し、カウント動作を停止する。
【００６９】
また、光ディスクの未記録領域でノイズがのった場合には、マーク部検出用カウンタ３０が設定値以下のカウントでリセットがかけられて、最小マーク長以下のマーク部を検出し、信号の未記録領域でノイズがのったと認識し、ＯＲ回路６０へリセット信号Ｓ３１を出力する。更に、そのノイズ後では、最大スペース長以上のスペース部が来る可能性が高いので、スペース部検出用カウンタ２０が設定値以上をカウントすると、この時点でＯＲ回路６０へリセット信号Ｓ２１を出力する。ＯＲ回路６０は、前記２つのリセット信号Ｓ２１、Ｓ３１の論理和をとり、その結果が記録領域検出用カウンタ８１へリセット信号Ｓ３５として出力される。
【００７０】
この未記録領域中では、記録領域検出用カウンタ８１は、ＲＦ信号の２値化信号ＲＦのマーク部が入力されてこないので、停止状態になる。すると、未記録領域検出用カウンタ８０は、記録領域検出用カウンタ８１によりリセットされず、基準クロックＣＬＫによりカウントを続ける。一定時間カウントすると、未記録領域検出信号Ｓ２０が出力され、フリップフロップ回路８２からの記録領域信号ＲＥＣＤが“Ｌ”となる。
【００７１】
以上のように、本実施形態によれば、未記録領域中にノイズがのった場合においても、前記スペース部及びマーク部の両検出用カウンタ２０、３０により、記録領域検出用カウンタ８１をリセットすることが可能であるので、誤って未記録領域検出用カウンタ８０をリセットすることなく、従来よりも高精度に記録領域の検出が可能である。
【００７２】
（第７の実施形態）
図１３は本発明の第７の実施形態における光ディスクの記録領域検出回路の構成を示す。
【００７３】
同図では、前記第４の実施形態を示す図７のマーク部検出用カウンタ４０と、前記第５の実施形態を示す図９のスペース部検出用カウンタ５０との両カウンタを備えた構成である。前記マーク部検出用カウンタ４０からのリセット信号Ｓ４１はフリップフロップ回路７０のセット端子Ｓに入力され、一方、前記スペース部検出用カウンタ５０からのリセット信号Ｓ５１はフリップフロップ回路７０のリセット端子Ｒに入力され、その出力は、出力端子Ｑから記録領域検出用として、記録領域検出用カウンタ８１に入力される。未記録領域検出用カウンタ８０からのリセット信号Ｓ２０の出力時間間隔は、光ディスクの記録領域中での記録領域検出用カウンタ８１からのリセット信号Ｓ１２の出力時間間隔に比べて、十分長い時間が経過しないと出力されないように設定されている。その他の構成は、図７及び図９と同様であるので、同一部分に同一符号を付して、その説明を省略する。
【００７４】
以上のように構成された本実施形態の光ディスクの記録領域検出回路について、以下、その動作を図１３、及び図１４のタイミング図に基づいて説明する。
【００７５】
最初に、ＲＦ信号の２値化信号ＲＦがマーク部検出用カウンタ４０に入力される。マーク部検出用カウンタ４０は、２値化信号ＲＦに記録されているマーク部の長さを基準クロックＣＬＫにより測定し、入力されたマーク長が最小マーク長と最大マーク長の間に収まっている場合にのみ、正常にマークを読めたとして、出力パルスＳ４１を出力する。一方、ＲＦ信号の２値化信号ＲＦがスペース部検出用カウンタ５０に入力される。スペース部検出用カウンタ５０は、記録されているスペース部の長さを基準クロックＣＬＫにより測定し、入力されたスペース長が最小スペース長と最大スペース長の間に収まっている場合にのみ、正常にスペースを読めたものとして、出力パルスＳ５１を出力する。
【００７６】
フリップフロップ回路７０は、これらの出力パルスＳ７１、Ｓ７２の信号により、元の２値化信号ＲＦからノイズ成分を除去した信号Ｓ５２を生成し、記録領域検出用カウンタ８１へ入力する。記録領域検出用カウンタ８１は、前記ノイズ成分が除去された信号Ｓ５２をカウントし、所定数をカウントする毎に未記録領域検出用カウンタ８０へリセット信号Ｓ１２を出力し、リセットをかけに行くと同時に、フリップフロップ回路８２からの記録領域信号ＲＥＣＤを“Ｈ”にする。
【００７７】
光ディスクの未記録領域中では、マーク部検出用カウンタ４０の出力信号Ｓ４１及びスペース部検出用カウンタ５０の出力信号Ｓ５１は出力されないので、記録領域検出用カウンタ８１は停止状態になる。すると、未記録領域検出用カウンタ８０は、記録領域検出用カウンタ８１によりリセットされないので、基準クロックＣＬＫによりカウントを続ける。一定時間カウントすると、未記録領域検出信号Ｓ２０が出力され、フリップフロップ回路８２からの記録領域信号ＲＥＣＤを“Ｌ”にすると同時に、記録領域検出用カウンタ８１をリセットする。
【００７８】
ここで、光ディスクの未記録領域中にノイズがのった場合には、ノイズ自身の幅は最小マーク長よりも短い可能性が高く、またノイズ後の時間は最大スペース長以上の可能性が高いので、マーク部検出用カウンタ４０及びスペース部検出用カウンタ５０並びにフリップフロップ回路７０により、ノイズと判定されて、記録領域検出用カウンタ８１へ信号Ｓ５２を出力しない。従って、記録領域検出用カウンタ８１はノイズ成分のない信号Ｓ５２をカウントするので、未記録領域検出用カウンタ８０をノイズに起因して誤ってリセットすることがなく、従来より高精度に記録領域を検出することが可能である。
【産業上の利用可能性】
【００７９】
以上説明したように、本発明は、光ディスクからのＲＦ信号の２値化信号にノイズがのっても、光ディスクの未記録領域を誤って記録領域と検出する誤認識の確率を低減できるので、精度良い記録領域の検出ができる追記・書き換え型光ディスクの記録領域検出回路等として有用である。
【図面の簡単な説明】
【００８０】
【図１】本発明の第１の実施形態の光ディスクの記録領域検出回路を示す図である。
【図２】同記録領域検出回路の各部の信号を示すタイミング図である。
【図３】本発明の第２の実施形態の光ディスクの記録領域検出回路を示す図である。
【図４】同記録領域検出回路の各部の信号を示すタイミング図である。
【図５】本発明の第３の実施形態の光ディスクの記録領域検出回路を示す図である。
【図６】同記録領域検出回路の各部の信号を示すタイミング図である。
【図７】本発明の第４の実施形態の光ディスクの記録領域検出回路を示す図である。
【図８】同記録領域検出回路の各部の信号を示すタイミング図である。
【図９】本発明の第５の実施形態の光ディスクの記録領域検出回路を示す図である。
【図１０】同記録領域検出回路の各部の信号を示すタイミング図である。
【図１１】本発明の第６の実施形態の光ディスクの記録領域検出回路を示す図である。
【図１２】同記録領域検出回路の各部の信号を示すタイミング図である。
【図１３】本発明の第７の実施形態の光ディスクの記録領域検出回路を示す図である。
【図１４】同記録領域検出回路の各部の信号を示すタイミング図である。
【図１５】従来の光ディスクの記録領域検出回路を示す図である。
【図１６】同記録領域検出回路の通常時の各部の信号を示すタイミング図である。
【図１７】同記録領域検出回路のノイズ混入時の各部の信号を示すタイミング図である。
【符号の説明】
【００８１】
１０、８０       未記録領域検出用カウンタ
２０、５０       スペース部検出用カウンタ
３０、４０       マーク部検出用カウンタ
６０             ＯＲ回路
７０、８２       フリップフロップ回路
８１             記録領域検出用カウンタ
Ｓ１０、Ｓ２０   未記録領域検出信号
Ｓ１１           記録領域検出用カウンタのリセット信号
ＲＦ             ２値化信号
ＣＬＫ           基準クロック
Ｓ１２           未記録領域検出用カウンタの
リセット信号及び記録領域検出信号
Ｓ２１、Ｓ３１   未記録領域検出用カウンタのリセット信号
【図１】
0004310313.tif 000002
【図２】
0004310313.tif 000003
【図３】
0004310313.tif 000004
【図４】
0004310313.tif 000005
【図５】
0004310313.tif 000006
【図６】
0004310313.tif 000007
【図７】
0004310313.tif 000008
【図８】
0004310313.tif 000009
【図９】
0004310313.tif 000010
【図１０】
0004310313.tif 000011
【図１１】
0004310313.tif 000012
【図１２】
0004310313.tif 000013
【図１３】
0004310313.tif 000014
【図１４】
0004310313.tif 000015
【図１５】
0004310313.tif 000016
【図１６】
0004310313.tif 000017
【図１７】
0004310313.tif 000018